(57)【要約】      （修正有）【課題】プラスイオンとマイナスイオンとを交互に発生させることにより、毛髪の酸性度を正常な状態に戻すイオンバランス機能を有するブラシ付きヘアアイロンを提供する。【解決手段】ブラシ付きヘアアイロンは、上面側にブラシ面を備えた本体ケースと、基端中央から水平方向に直線状に伸びたハンドル部５０とを備え、ブラシ面において、外周部を除く内側部全面に、先端部３７がシリコンゴム製の熱伝導性ブラシ３０を設け、熱伝導性ブラシの下方に、熱伝導性ブラシを加熱するための発熱体を設け、本体ケース内にプラスイオン及びマイナスイオンを発生する少なくとも放電電極４６ａ・・とトランス４７ａ・・とを備えるイオン発生装置を設け、発熱体を避けて、ブラシ面の長手側の両端部に１又は複数のイオン放出用口３９を設け、イオン放出用口に近接する本体ケース内にイオン発生装置の放電電極が配置されている。【選択図】図４
0003217565.tif 000002
【実用新案登録請求の範囲】
【請求項１】
上面側にブラシ面を備えた本体ケースと、その基端中央から水平方向に直線状に伸びたハンドル部とを備え、
前記ブラシ面において、その外周部には樹脂製からなる樹脂製ブラシを設け、
前記ブラシ面の外周部を除く内側部全面には、熱伝導体からなり、先端部がシリコンゴム製の熱伝導性ブラシを設け、
前記熱伝導性ブラシの下方に、当該熱伝導性ブラシを加熱するための発熱体を設け、
本体ケース内にプラスイオン及びマイナスイオンを発生するイオン発生装置を設け、
前記発熱体を避けて、ブラシ面の長手側の両端部に１又は複数のイオン放出用口を設け、
該イオン放出用口に近接する本体ケース内にイオン発生装置の放電電極が配置されている
ことを特徴とするブラシ付きヘアアイロン。
【請求項２】
前記ブラシ面は、ハンドル部の伸び方向に長い楕円形あるいは長方形である
ことを特徴とする請求項１に記載のブラシ付きヘアアイロン。
【請求項３】
ブラシ面の長手側の一方の端部側にプラスイオンを発生する放電電極を設け、
他方の端部側にマイナスイオンを発生する放電電極を設けた
ことを特徴とする請求項２に記載のブラシ付きヘアアイロン。
【請求項４】
ブラシ面の長手側の両端部に複数のイオン放出用口を設け、
ブラシ面の長手側の一方の端部側において、少なくとも一つのイオン放出用口に対してプラスイオンを発生する放電電極を設け、他の少なくとも一つのイオン放出用口に対してマイナスイオンを発生する放電電極を設け、
ブラシ面の長手側の他方の端部側において、少なくとも一つのイオン放出用口に対してプラスイオンを発生する放電電極を設け、他の少なくとも一つのイオン放出用口に対してマイナスイオンを発生する放電電極を設けた
ことを特徴とする請求項２又は３に記載のブラシ付きヘアアイロン。
【請求項５】
イオン放出用口は、長孔である
ことを特徴とする請求項１〜４のいずれか１項に記載のブラシ付きヘアアイロン。
【請求項６】
イオン発生装置がプラスイオンとマイナスイオンとを同時又は交互に発生させる構成である
ことを特徴とする請求項１〜５のいずれか１項に記載のブラシ付きヘアアイロン。
【請求項７】
プラスイオンとマイナスイオンとを交互に発生させるとき、プラスイオンの発生時間を長くした
ことを特徴とする請求項１〜６のいずれか１項に記載のブラシ付きヘアアイロン。
【請求項８】
プラスイオンとマイナスイオンを交互に発生させるとき、マイナスイオンの発生時間を長くした
ことを特徴とする請求項１〜６のいずれか１項に記載のブラシ付きヘアアイロン。
【請求項９】
プラスイオンとマイナスイオンとを毛髪に放出することにより、毛髪の酸性度を、ｐＨ４．５〜５．５の範囲内又は前記数値範囲に近付ける
ことを特徴とする請求項１〜８のいずれか１項に記載のブラシ付きヘアアイロン。
【考案の詳細な説明】
【技術分野】
【０００１】
本考案は、毛髪を正常な酸性度に戻すためのブラシ付きヘアアイロンに関し、特に毛髪の乾燥及び毛髪をカール又はストレートにセットをするイオンバランス機能を有するブラシ付きヘアアイロンに関する。
【背景技術】
【０００２】
毛髪に対してブラシや櫛によりブラッシングを行うと毛髪に静電気が発生し、また、この静電気が毛髪のキューティクルに影響を与え、毛髪にダメージを与える問題がある。
【０００３】
これを解消するために、従来より、マイナスイオンを毛髪に付与し、マイナスイオンを毛髪内部まで浸透させて毛髪をさらさらにすることが発案されている。
【０００４】
しかしながら、静電気にはプラスとマイナスとがあるため、マイナスイオンのみを毛髪に付与することは適切でない場合がある。
【０００５】
そこで、下記特許文献１に記載のヘアブラシが開発された。当該ヘアブラシは、下面側にブラシ面を備えた本体ケースの基端側中央から、軸方向に直線状にハンドルを伸ばすとともに、本体ケース内に放電部４６ａを収納し、ブラシ面は、ハンドルの伸び方向に長い楕円形あるいは長方形であって、１または複数のイオン放出口を設けるとともに、そのイオン放出口を除いた略全面に亘ってブラシ毛が植設されており、放電時に発生するイオン風あるいは整髪に伴う自然対流を利用してマイナスイオンを髪に供給する構成である。
【先行技術文献】
【特許文献】
【０００６】
【特許文献１】特開２００８−２４３８２１号公報
【考案の概要】
【考案が解決しようとする課題】
【０００７】
しかしながら、上記特許文献１に示されるヘアブラシは、マイナスイオンのみが発生するものである。したがって、毛髪がプラス又はマイナスのいずれに帯電しているかを使用者が判断してマイナスイオンの付与操作をする必要があり、マイナスに帯電しているにも拘わらずマイナスイオンを付与したり、プラスに帯電している場合にマイナスイオンを付与し過ぎたりして、毛髪の酸性度が正常な範囲よりも酸性化してしまって毛髪へ悪影響を及ぼすおそれがある。
【０００８】
本考案は、主としてプラスイオンとマイナスイオンとを交互に発生させることにより、毛髪の酸性度を正常な状態に戻すブラシ付きヘアアイロンを提供することを目的とするものである。
【課題を解決するための手段】
【０００９】
本考案の請求項１に係るブラシ付きヘアアイロンは、上面側にブラシ面を備えた本体ケースと、その基端中央から水平方向に直線状に伸びたハンドル部とを備え、前記ブラシ面において、その外周部には樹脂製からなる樹脂製ブラシを設け、前記ブラシ面の外周部を除く内側部全面には、熱伝導体からなり、先端部がシリコンゴム製の熱伝導性ブラシを設け、前記熱伝導性ブラシの下方に、当該熱伝導性ブラシを加熱するための発熱体を設け、本体ケース内にプラスイオン及びマイナスイオンを発生するイオン発生装置を設け、前記発熱体を避けて、ブラシ面の長手側の両端部に１又は複数のイオン放出用口を設け、該イオン放出用口に近接する本体ケース内にイオン発生装置の放電電極が配置されていることを特徴とする。
【００１０】
本考案の請求項２に係るブラシ付きヘアアイロンは、上記請求項１に係るブラシ付きヘアアイロンの構成に加えて、前記ブラシ面は、ハンドル部の伸び方向に長い楕円形あるいは長方形であることを特徴とする。
【００１１】
本考案の請求項３に係るブラシ付きヘアアイロンは、上記請求項２に係るブラシ付きヘアアイロンの構成に加えて、ブラシ面の長手側の一方の端部側にプラスイオンを発生する放電電極を設け、他方の端部側にマイナスイオンを発生する放電電極を設けたことを特徴とする。
【００１２】
本考案の請求項４に係るブラシ付きヘアアイロンは、上記請求項２又は３に係るブラシ付きヘアアイロンの構成に加えて、ブラシ面の長手側の両端部に複数のイオン放出用口を設け、ブラシ面の長手側の一方の端部側において、少なくとも一つのイオン放出用口に対してプラスイオンを発生する放電電極を設け、他の少なくとも一つのイオン放出用口に対してマイナスイオンを発生する放電電極を設け、ブラシ面の長手側の他方の端部側において、少なくとも一つのイオン放出用口に対してプラスイオンを発生する放電電極を設け、他の少なくとも一つのイオン放出用口に対してマイナスイオンを発生する放電電極を設けたことを特徴とする。
【００１３】
本考案の請求項５に係るブラシ付きヘアアイロンは、上記請求項１〜４のいずれか１項に係るブラシ付きヘアアイロンの構成に加えて、イオン放出用口は、長孔であることを特徴とする。
【００１４】
本考案の請求項６に係るブラシ付きヘアアイロンは、上記請求項１〜５のいずれか１項に係るブラシ付きヘアアイロンの構成に加えて、イオン発生装置がプラスイオンとマイナスイオンとを同時又は交互に発生させる構成であることを特徴とする。
【００１５】
本考案の請求項７に係るブラシ付きヘアアイロンは、上記請求項１〜６のいずれか１項に係るブラシ付きヘアアイロンの構成に加えて、プラスイオンとマイナスイオンとを交互に発生させるとき、プラスイオンの発生時間を長くしたことを特徴とする。
【００１６】
本考案の請求項８に係るブラシ付きヘアアイロンは、上記請求項１〜６のいずれか１項に係るブラシ付きヘアアイロンの構成に加えて、プラスイオンとマイナスイオンを交互に発生させるとき、マイナスイオンの発生時間を長くしたことを特徴とする。
【００１７】
本考案の請求項９に係るブラシ付きヘアアイロンは、上記請求項１〜８のいずれか１項に係るブラシ付きヘアアイロンの構成に加えて、プラスイオンとマイナスイオンとを毛髪に放出することにより、毛髪の酸性度を、ｐＨ４．５〜５．５の範囲内又は前記数値範囲に近付けることを特徴とする。
【００１８】
［本考案の作用］
毛髪にプラスイオン又はマイナスイオンを付与することの作用について、図１の説明図に基づいて説明する。
【００１９】
毛髪の正常なｐＨ値は、４．５〜５．５の弱酸性であるが、毛髪が乾燥した場合などには、図１において左半部側のｐＨ４．５以下のプラス電子が多くなる状態となり、シャンプー後の場合などには図１において右半部側のｐＨ５．５以上のマイナス電子が多くなる状態となる。
【００２０】
すなわち、乾燥した毛髪は、プラス電子に帯電して静電気が発生しやすくなっており、また、マイナスイオンだけを付与し続けるとマイナス電子に帯電し、マイナスイオンが毛髪に付着しにくくなるので、プラスイオンとマイナスイオンとを交互に付与することにより、プラスに偏った電荷を中和させることでプラスに帯電した毛髪に対してはマイナスイオン効果が高まる。
【００２１】
ヘアカラーやパーマあるいはシャンプー後の毛髪はアルカリ性に傾き、これに起因してキューティクルが開いて栄養分が外部に出やすくなっており、プラスイオンを付与することにより、キューティクルを引き締めてアルカリ性の毛髪を弱酸性に導き、逆に乾燥した毛髪は酸性に傾くため静電気が発生しがちになるので、マイナスイオンを付与することにより弱酸性に導く。
【００２２】
濡れたままの毛髪が摩擦などでこすれると、開いたキューティクルが傷つき、また、枝毛や切れ毛の原因となるため、プラスイオンを付与することにより、シャンプー後は水分で開いたキューティクルを引き締めた上でしっかりと乾燥させることで、毛髪が痛む原因となる生乾きを防ぎ、潤いのある艶やかな毛髪を保つことができる。
【００２３】
プラスイオン及びマイナスイオンの交互発生により、シャンプー後にしっかり乾かしながらアルカリ性に傾いた毛髪を弱酸性へ導き、プラスイオン及びマイナスイオンの交互発生により、マイナスイオン効果を高める。
【００２４】
プラスに帯電した毛髪に対してマイナスイオンを付与すると互いに引き合うことで中和が促進する。そのまま続けてマイナスイオンを付与するとマイナスに帯電してアルカリ性化してしまうが、本考案はプラスイオン及びマイナスイオンの交互発生により、マイナスに帯電した毛髪を中和させ、これを繰り返すことにより、毛髪のｐＨは正常値の４．５〜５．５の範囲に入るか若しくはそれに近似することになり、毛髪に対して最適な状態となる。
【考案の効果】
【００２５】
本考案に係るブラシ付きヘアアイロンは、プラスイオンとマイナスイオンとを同時又は交互に発生させることにより、毛髪の酸性度を正常な状態にすることが可能になる。
【図面の簡単な説明】
【００２６】
【図１】毛髪に対するプラスイオン又はマイナスイオンを付与することの作用を示す説明図である。
【図２】本考案の実施例１に係るブラシ付きヘアアイロンを示し、（ａ）は斜視図であり、（ｂ）はブラシ面を正面とした正面図であり、（ｃ）は側面図である。
【図３】図１に示すブラシ付きヘアアイロンにおける上側ユニットの斜視図（電源コード及び配線は不図示である。）である。
【図４】図１に示すブラシ付きヘアアイロンにおける下側ユニットの部分拡大断面図付斜視図（電源コード及び配線は不図示である。）である。
【図５】図３に示す上側ユニットの分解斜視図（電源コード及び配線は不図示である。）である。
【図６】図４に示す下側ユニットの分解斜視図（電源コード及び配線は不図示である。）である。
【図７】図４の下側ユニットの分解斜視図に示す能動装置（発熱体及び放電電極を含む）の分解斜視図（配線は不図示である。）ある。
【図８】本考案の実施例１に係るブラシ付きヘアアイロンにおいて、プラスイオンとマイナスイオンとが等時間交互に発生する場合の状態を示す印加電圧出力波形を示す図である。
【図９】本考案の実施例１に係るブラシ付きヘアアイロンにおいて、パルス制御によりマイナスイオン発生器の作動時間が長くなるように構成した場合のプラスイオンとマイナスイオンとが交互に発生する状態を示す印加電圧出力波形を示す図である。
【図１０】本考案の実施例１に係るブラシ付きヘアアイロンにおいて、パルス制御によりプラスイオン発生器の作動時間が長くなるように構成した場合のプラスイオンとマイナスイオンとが交互に発生する状態を示す印加電圧出力波形を示す図である。
【考案を実施するための形態】
【００２７】
次に本考案の好適な実施例を添付の図面に基づいて詳細に説明する。
【実施例１】
【００２８】
図２において、Ａはブラシ付きヘアアイロンを示し、当該ブラシ付きヘアアイロンＡは、ブラシを有する本体ケース１０（図において左側）と、その基端中央から水平に伸びたハンドル部５０（図において右側）とから構成される。
【００２９】
当該ブラシ付きヘアアイロンＡは、図３（電源コード及び配線は不図示である。）に示す上側ユニットＡ１と図４に示す下側ユニットＡ２とを、ネジ止めや押し嵌め等により上下連結して構成されるものであり、上側ユニットＡ１のブラシ部側と下側ユニットＡ２のブラシ部側とから本体ケース１０が形成される。
【００３０】
本体ケース１０は、その上面側にブラシ面１１を備えており、当該ブラシ面１１には、樹脂製ブラシ２０と熱伝導性ブラシ３０とが設けられている。このブラシ面１１は、ハンドル部の伸び方向に長い楕円形をなしている。なお、楕円形でなくても長方形状でもよく、また、円形や正方形でもよい。
【００３１】
樹脂製ブラシ２０は、図３に示すように、ブラシ面１１の外周部に設けられている。詳しくは、図５（電源コード及び配線は不図示である。）に示すように、ブラシ面１１における上側ユニットＡ１に樹脂製ブラシ立設用孔１２が形成されており、その下方から樹脂製ブラシ２０が樹脂製ブラシ立設用孔１２に挿入され、その下方からアルミニウム製の係止枠体１３が嵌め込まれてブラシ面１１に樹脂製ブラシ２０が固定される。そして、上側ユニットＡ１には、樹脂製ブラシ２０を立設する外周部を除く中央に、ブラシ面１１より小径の楕円形からなり、ほぼ同形状の前記熱伝導性ブラシ３０を嵌め込むための熱伝導性ブラシ用孔１４が形成されている。
【００３２】
熱伝導性ブラシ３０は、図２に示すように、ブラシ面１１の外周部を除く内側部全面に設けられており、図４（電源コード及び配線は不図示である。）に示すように、下側ユニットＡ２から上方向に立設されていて、上側ユニットＡ１における前記熱伝導性ブラシ用孔１４に熱伝導性ブラシ３０を嵌め込むことにより、すなわち、上側ユニットＡ１と下側ユニットＡ２とを結合することにより、図２に示すブラシ付きヘアアイロンＡが構成される。
【００３３】
熱伝導性ブラシ３０は、図６（電源コード及び配線は不図示である。）に示すように、芯鞘構造をなす鞘ブラシ３１と芯ブラシ３５とから構成される。
【００３４】
鞘ブラシ３１は、熱伝導性のアルミニウムからなる円錐状の頂部を切断した中空筒状体をなしていてブラシ面１１より小径の楕円形からなり、ブラシ面１１の一部を構成する基板３２に複数配列して取り付けられている。
【００３５】
芯ブラシ３５は、前記の鞘ブラシ３１の下方から貫入可能で、その先端部が鞘ブラシ３１から突出する形体に形成したものである。当該芯ブラシ３５は、ポリフェニレンサルファイド樹脂よりなる基礎軸３６と、その上端に取り付けられたシリコンゴム製の先端部３７とから構成される。そして、複数配置される基礎軸３６は、複数配列された鞘ブラシ３１に都合よく貫入できるように、連結板３８により連結され、芯ブラシ３５を鞘ブラシ３１に貫入すると、シリコンゴム製の先端部３７が突出することになる。
【００３６】
また、鞘ブラシ３１に芯ブラシ３５を貫入した場合の内部構造を図４の拡大断面図に示す。図に示すように、鞘ブラシ３１から芯ブラシ３５におけるシリコンゴム製の先端部３７のみが突出している。
【００３７】
詳しくは、芯ブラシ３５は、基礎軸３６とその上端部に配設されるシリコンゴム製の先端部３７とから構成される。
【００３８】
シリコンゴム製の先端部３７には、その底部中心に基礎軸３６先端部の頂部３６ａが貫入する貫入孔３７ａが形成されている。基礎軸３６の先端部には、前記貫入孔３７ａに嵌合する頂部３６ａとシリコンゴム製の先端部３７の底部３７ｂを支承する段差部３６ｂとが形成されており、シリコンゴム製の先端部３７が基礎軸３６の先端部にセットしやすくなっている。そして、基礎軸の３６の先端部がシリコンゴム製の先端部３７に当接し、シリコンゴム製の先端部３７は、基礎軸３６の段部３６ｂから頂部３６ａに至るまでの面によって鞘ブラシ３１内で押し上げられることになる。
【００３９】
一方、シリコンゴム製の先端部３７には、その周囲外側に段差部３７ｃが形成されており、当該鞘ブラシ３１内には、シリコンゴム製の先端部３７の段差部３７ｃに係合するフランジ部３１ａが形成されていて、シリコンゴム製の先端部３７の段差部３７ｃが鞘ブラシ３１内のフランジ部３１ａより上方に進入していくことを阻止し、その結果、シリコンゴム製の先端部３７は鞘ブラシ３１から抜け出すことがないと共に、基礎軸３６の先端部の頂部３６ａは鞘ブラシ３１内に収まるようになっている。
【００４０】
以上のように、鞘ブラシ３１からシリコンゴム製の先端部３７のみが突出することになるので、頭皮に対してはシリコンゴム製の先端部３７のみが接触するので、肌触りがよく、かつ、頭皮を傷付けるおそれがない。
【００４１】
上記のように構成された熱伝導ブラシ３０は、前述したように、上側ユニットＡ１における前記熱伝導性ブラシ用孔１４に嵌め込むと、樹脂製ブラシ２０の底部に配された係止枠体１３が熱伝導性ブラシ３０における基板３２と接合して、図１に示すように、樹脂製ブラシ２０と熱伝導ブラシ３０との高さが具合良く揃うようになっており、当該基板３２がネジ止め等により下側ユニットＡ２に固定される。
【００４２】
上記の基板３２には、図２に示すように、その長手側の両端部に長孔からなる４箇所のイオン放出用口３９が形成されており、後述する放電電極から放出するイオンが外部に放出できるようになっている。なお、このイオン放出用口３９は、両端部に一箇所ずつ設けてもよく、また、イオン放出用口の数を増やしてもよい。さらに長孔に限られるものではなく、丸孔等の他の形状でもよい。本実施例のように一端部に２箇所以上、他端部に２箇所以上設けると後述するように、プラスイオンとマイナスイオンとの放出のバリエーションが広がる利点がある。
【００４３】
そして、下側ユニットＡ２内における本体ケース１０内において、上記の熱伝導ブラシ３０の下方に、発熱体及び放電電極が組み込まれている能動装置４０が配され、その下方には絶縁及び耐熱のためにマイカ板４８が配されている。
【００４４】
当該マイカ板４８は、前述した熱伝導ブラシ３０における芯ブラシ３５の下端の一部が嵌合する止定孔４９が形成されており、能動装置４０の四隅に配置されているネジ４０ａにより、鞘ブラシ３１における基板３２の下面に配された筒型ナット３３とネジ止めできるようになっていて、下側ユニットＡ２内における本体ケース１０内に、鞘ブラシ３１、芯ブラシ３５、能動装置４０及びマイカ板４８が全て一体となって下側ユニットＡ２の本体ケース１０内に組み込まれることになる。
【００４５】
図７（電源コード及び配線は不図示である。）は、能動装置４０を分解した状態を表し、能動装置４０は、主として発熱体としてのヒータ４１、アルミニウム製の上板４２、アルミニウム製の中間板４３、仕切り用マイカ板４４、放電電極用マイカ板４５、及び、ステンレス製の放電電極４６ａ、４６ｂ、４６ｃ、４６ｄとから構成される。そして、ヒータ４１は上板４２と中間板４３との間に挟まれ、中間板４３の下方に、耐熱及び絶縁のために適宜の治具により所定間隔をおいて仕切り用マイカ板４４と、放電電極用マイカ板４５とが配され、放電電極用マイカ板４５には、前記ヒータ４１を避け、かつ、前記基板３２に形成されたイオン放出用口３９それぞれに近接して、イオン発生装置の一部をなす放電電極４６ａ、４６ｂ、４６ｃ、４６ｄが取り付けられている。また、前記中間板４３の四隅の孔に前記ネジ４０ａが下方から挿入され、これらの部材が一体となって、図６に示す能動装置４０が構成される。
【００４６】
上記のヒータ４１は熱源となって、ヒータ４１から発せられた熱エネルギーは上記の熱伝導ブラシ３０に伝わって熱伝導ブラシ３０が加熱されるので、当該ブラシ付きヘアアイロンＡを使用すれば毛髪が加熱されてヘアアイロンとしての機能を発揮することになる。
【００４７】
また、上記の放電電極４６ａ、４６ｂからはプラスイオンが放出され、放電電極４６ｃ、４６ｄからはマイナスイオンが放出される。したがって、前記基板３２に形成された２箇所のイオン放出用口３９から外部にプラスイオンが放出され、それ以外の２箇所のイオン放出用口３９から外部にマイナスイオンが放出されることになるので、当該ブラシ付きヘアアイロンＡを使用すれば毛髪にプラスイオンやマイナスイオンを付与することが可能となる。なお、放電電極４６ａ、４６ｂからマイナスイオンが放出され、放電電極４６ｃ、４６ｄからプラスイオンが放出されるようにしてもよく、放電電極の構成を変更して放電電極４６ａ、４６ｃと放電電極４６ｂ、４６ｄのいずれか一方からプラスイオンが放出され、他方からマイナスイオンが放出されるように構成してもよい。
【００４８】
また、下側ユニットＡ２において、そのハンドル部５０側に、イオン発生装置の一部を構成するプラスイオンを発生させるためのプラスイオン発生用トランス４７ａとマイナスイオンを発生させるためのマイナスイオン発生用トランス４７ｂとが設置されていて、前記放電電極４６ａ、４６ｂ、４６ｃ、４６ｄに電気的に接続されている。
【００４９】
そして、図５に示すように、上側ユニットＡ１において、そのハンドル部５０側の裏面側に、ヒータ４１やプラスイオン発生用トランス４７ａ及びマイナスイオン発生用トランス４７ｂをコントロールする電源基板５１が設置されており、電源基板５１に対応するハンドル部５０側の表面側に電源基板５１を操作する操作部５２が配置されていて、主電源のＯＮ／ＯＦＦの切替はもちろん、ヒータ４１のＯＮ／ＯＦＦの切替やイオン発生装置のＯＮ／ＯＦＦの切替等の各種の切替ができるようになっている。
【００５０】
次に、本実施例におけるブラシ付きヘアアイロンＡの動作について説明する。
【００５１】
本実施例のブラシ付きヘアアイロンＡには、プラスイオン発生器（プラスイオンを発生する放電電極４６ａ、４６ｂ、プラスイオン発生用トランス４７ａ）とマイナスイオン発生器（放電電極４６ｃ、４６ｄ、マイナスイオン発生用トランス４７ｂ）とを同時に又は交互に作動させる回路が組み込まれている。もちろん、マイナスイオンのみが発生するようにマイナスイオン発生器のみが作動する回路を組み込んでもよく、また両イオンとも発生停止する回路を組み込んでもよい。
【００５２】
当該回路においては、タイマー調整やパルス制御により、マイナスイオン発生器の作動時間及びプラスイオン発生器の作動時間の調整が可能となっており、等時間はもちろん、マイナスイオン発生器の作動時間がプラスイオン発生器の作動時間よりも長くなる場合と、プラスイオン発生器の作動時間がマイナスイオン発生器の作動時間よりも長くなる場合との切替も可能である。
【００５３】
そして、プラスイオン発生器の作動時間を長くした場合は、毛髪のキューティクルを引き締める効果がある。また、マイナスイオン発生器の作動時間を長くした場合は、毛髪に潤いを補給することができる。
【００５４】
また、前記の回路においては、ヒータ切替と共に、プラスイオン発生器とマイナスイオン発生器とを交互に作動させる時間を変化させることができる。さらに、イオン発生装置への電力供給と電力遮断との切替スイッチを備えているので、イオン発生装置へ電力供給されてブラシ面１１に形成された４箇所のイオン放出用口３９それぞれからプラスイオンとマイナスイオンとが交互に放出すると共にヒータ４１により熱伝導性ブラシ３０が加熱される場合と、イオン発生装置への電力供給が遮断されてイオンが発生せずにヒータ４１により熱伝導性ブラシ３０が加熱される場合とに切り替えることができる。
【００５５】
図８は、１秒おきにプラスイオンとマイナスイオンとを交互に発生させたときの電圧出力波形を示す。
【００５６】
図９は、プラスイオンとマイナスイオンとが交互に発生することについて、マイナスイオン発生器の作動時間が長くなるように構成した場合である。図においては、プラスイオン０．４秒とマイナスイオン１．６秒とが交互に発生する印加電圧出力波形が示されている。
【００５７】
図１０は、プラスイオンとマイナスイオンとが交互に発生することについて、プラスイオン発生器の作動時間が長くなるように構成した場合である。図においては、プラスイオン１．６秒とマイナスイオン０．４秒とが交互に発生する印加電圧出力波形が示されている。
【００５８】
上記の設定に限られるものではなく、タイマー調整及びパルス制御によりプラスイオンが発生する時間間隔とマイナスイオンが発生する時間間隔とを適宜変更することができる。
【００５９】
本実施例におけるブラシ付きヘアアイロンＡは、上記のように構成したことにより、当該ブラシ付きヘアアイロンＡを使用して毛髪にイオンを付与することにより、毛髪の酸性度をｐＨ４．５〜５．５の範囲内又は前記数値範囲に近付けることができる。
【００６０】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００６１】
Ａ………ブラシ付きヘアアイロン
Ａ１……上側ユニット
Ａ２……下側ユニット
１０……本体ケース
１１……ブラシ面
１２……樹脂製ブラシ立設用孔
１３……係止枠体
１４……熱伝導性ブラシ用孔
２０……樹脂製ブラシ
３０……熱伝導性ブラシ
３１……鞘ブラシ
３１ａ…鞘ブラシ３１内のフランジ部
３２……基板
３３……筒型ナット
３５……芯ブラシ
３６……基礎軸
３６ａ…基礎軸先端部の頂部
３６ｂ…基礎軸先端部の段差部
３７……シリコンゴム製の先端部
３７ａ…シリコンゴム製の先端部の貫入孔
３７ｂ…シリコンゴム製の先端部の底部
３７ｃ…シリコンゴム製の先端部周囲外側の段差部
３８……連結板
３９……イオン放出用口
４０……能動装置
４０ａ…ネジ
４１……ヒータ
４２……上板
４３……中間板
４４……仕切り用マイカ板
４５……放電電極用マイカ板
４６ａ…放電電極（プラスイオン）
４６ｂ…放電電極（プラスイオン）
４６ｃ…放電電極（マイナスイオン）
４６ｄ…放電電極（マイナスイオン）
４７ａ…プラスイオン発生用トランス
４７ｂ…マイナスイオン発生用トランス
４８……マイカ板
４９……止定孔
５０……ハンドル部
５１……電源基板
５２……操作部
【図１】
0003217565.tif 000003
【図２】
0003217565.tif 000004
【図３】
0003217565.tif 000005
【図４】
0003217565.tif 000006
【図５】
0003217565.tif 000007
【図６】
0003217565.tif 000008
【図７】
0003217565.tif 000009
【図８】
0003217565.tif 000010
【図９】
0003217565.tif 000011
【図１０】
0003217565.tif 000012